(57)【要約】【課題】  ゲルマニウム粒子と磁性体粒子を組み合わせることにより、血液を浄化し血行を良くし血液の循環を促進する腰用ベルトを提供する。【解決手段】  弾力性を有する布地等の素材を用いて略帯状に製せられ、平板状の腰当部１と腹当部２を形成し、この腰当部１および腹当部２にはホルミシス発泡体を有する布地３が設けられ、複数のゲルマニウム粒子４と磁性体粒子５とを適宜間隔で融着材６を介して配列固着されている。【選択図】図１
0003134840.tif 000002
【実用新案登録請求の範囲】
【請求項１】
弾力性を有する布地等の素材を用いて略帯状に製せられ、平板状の腰当部にはホルミシス発泡体を有する布地が設けられ、複数のゲルマニウム粒子と磁性体粒子とを適宜間隔で融着材を介して配列固着されていることを特徴とする腰用ベルト。
【請求項２】
腹当部にはホルミシス発泡体を有する布地が設けられ、少なくとも１個以上のゲルマニウム粒子と磁性体粒子とを適宜間隔をおいて融着材を介して配列固着されていることを特徴とする請求項１記載の腰用ベルト。
【考案の詳細な説明】
【技術分野】
【０００１】  本考案は血行をよくし、筋肉の凝りを解消し血液の循環を促進するための腰用ベルトに関するものである。
【背景技術】
【０００２】  従来身体とくに腹部や腰部には凝りや血液の循環に支障をきたす様々の症状がみられ、これらの症状には永久磁石の磁気を利用して血行をよくして筋肉を解したり、遠赤外線を放射する各種の鉱石類を用いて血液の循環を促進したりしたものがあり、これらの鉱石類は、加熱溶融型の合成樹脂からなる接着剤を介してベルトを含む着衣に取付けられている。
【考案の開示】
【考案が解決しようとする課題】
【０００３】
【０００４】  上記の如く、従来腰部あるいは着衣に用いられているこれらの磁石やセラミック等の各種鉱石類は、その単体をボール状あるいはチップ状の小片として各種の固着手段で取付けられている。【０００５】  しかしながら、人はそれぞれ冷え症、神経痛、胃腸不良、筋肉の凝りを抱えているが、その症状や度合いは各自によって異なり、また、体質その他により必ずしも特定の鉱石のもつホルミシス作用、マイナスイオン作用、遠赤外線作用が上記症状あるいはその他の症状に対して等しく効果があるとは限らない。【０００６】  本考案は、３２℃以上の温度に接すると外側軌道を周遊している電子が増幅・整流する電子的特性が働き、生体電流に接触し電位バランスの乱れを正常に戻し、神経細胞を活性化するゲルマニウム粒子とホルミシス作用によるマイナスイオン効果や遠赤外線効果の高い磁気を帯びた永久磁石の磁性体粒子を組み合わせることにより、コレステロールなどの血液中の老廃物の排出を助け、血液を浄化し血行を良くし血液の循環を促進する腰用ベルトを提供するものである。
【課題を解決するための手段】
【０００７】  本考案に係る腰用ベルトは、弾力性を有する布地等の素材を用いて略帯状に製せられ、平板状の腰当部にはホルミシス発泡体を有する布地が設けられ、複数のゲルマニウム粒子と磁性体粒子とを適宜間隔で融着材を介して配列固着されていることを特徴とするものである。【０００８】  さらに、腹当部にはホルミシス発泡体を有する布地が設けられ、少なくとも１個以上のゲルマニウム粒子と磁性体粒子とを適宜間隔をおいて略横方向に融着材を介して配列固着されているものである。
【考案の効果】
【０００９】  本考案に係る腰用ベルトによれば、腰当部にゲルマニウム粒子と磁性体粒子とを併用することにより、ゲルマニウム粒子の特性である生体電流の電位バランスや血液を正常化して血行を浄化し、さらに血行を促進して凝りや痛み等の不快な症状を除去するとともに、磁性体やホルミシス発泡体の布地を併用することにより、効率的にマイナスイオン効果や温熱効果を得ることができる。【００１０】  さらに、腰当部とともに腹当部においても、ゲルマニウム粒子と磁性体粒子とを併用することにより、腹部と腰部に同時的に接触されより効果を高めることができる。【００１１】  さらに、ゲルマニウム粒子と磁性体粒子及びホルミシス発泡体を併用することにより、体質の異なる人体に幅広く適用することができる。
【考案を実施するための最良の手段】
【００１２】  図１は、本考案に係る腰用ベルトを示す正面図、図２ないし図４は、ゲルマニウムと磁性体粒子の異なる配置状態を示す正面図である。
【００１３】  本考案に係る腰用ベルトは、弾力性を有する布地等の素材を用いて略帯状に製せられ、平板状の腰当部１と腹当部２を形成し、この腰当部１および腹当部２にはホルミシス発泡体を有する布地３が設けられ、複数のゲルマニウム粒子４と磁性体粒子５とを適宜間隔で融着材６を介して配列固着されているものである。
【００１４】  この腰用ベルトは、平板状の腰当部１の一側に伸縮性を高めた弾性部７を挟んで腹当部２が、また、他側には弾性部７を挟んで面ファスナー（マジックテープ）のような止着手段を有する保持部８がそれぞれ卷回可能に形成され、この保持部８は、腹部に位置される腹当部３に重なり合って着脱可能に止着されている。
【００１５】  前記腰当部１の一面、すなわち、腰部と接触する面には、図１に示すように、ホルミシス発泡体を有する布地３が設けられ、３個のゲルマニウム粒子４が略中央に適宜間隔をおいて略横方向に、また、これらのゲルマニウム粒子４の周囲には、７個のフェライト磁石からなる永久磁石の磁性体粒子５が、これらのゲルマニウム粒子４や磁性体粒子５より大径のホットメルトタイプの円盤状の融着材６を介して幅方向又は長さ方向に整列状に配列固着される。
【００１６】  また、腹当部２の一面すなわち腹部と接触する面には、腰当部１と同様のホルミシス発泡体を有する布地３が設けられ、３個のフェライト磁石からなる永久磁石の磁性体粒子５が適宜間隔をおいて略横方向に、熱溶融性の融着材６を介して取付け固着される。
【００１７】  腹当部２の一面に３個のフェライト磁石からなる永久磁石の磁性体粒子５を設けることで説明したが、図２及び図３に示すように、１個のゲルマニウム粒子４を２個の磁性体粒子５の間に設けたり、あるいは、図４に示すように、中央に１個のフェライト磁石からなる永久磁石の磁性体粒子５の両側に２個のゲルマニウム粒子４を設けたりするものであってもよい。
【００１８】  さらに、腰当部１の一面に３個のゲルマニウム粒子４を、７個の磁性体粒子５と併用することで説明したが、ゲルマニウム粒子４は、図２ないし図４に示すように、４ないし６個とすることも可能で、その使用される数はとくに限定されず、また、配置の態様は適宜選択されるものであり、また、ゲルマニウム粒子４及び磁性体粒子５の形状は球状、円盤状、円錐状、半円状等のものが適宜使用に供される。
【００１９】  また、ゲルマニウム粒子４と磁性体粒子５が区別され、目視できるように粒子４、５の外観や大きさを変更したり、融着材６の色彩を変えたりすることは任意である。
【図面の簡単な説明】
【００２０】
【図１】  本考案に係る腰用ベルトを示す正面図である。
【図２】  ゲルマニウム粒子と磁性体粒子の他の態様を示す正面図である。
【図３】  同じくさらに他の態様を示す平面図である。
【図４】  同じくさらに他の態様を示す平面図である。
【符号の説明】
【００２１】  １    腰当部
２    腹当部
３    ホルミシス発泡体の布地
４    ゲルマニウム粒子
５    磁性体粒子
６    融着材
７    弾性部
８    保持部
【図１】
0003134840.tif 000003
【図２】
0003134840.tif 000004
【図３】
0003134840.tif 000005
【図４】
0003134840.tif 000006
【手続補正書】
【提出日】平成19年6月7日(2007.6.7)
【手続補正１】
【補正対象書類名】明細書
【補正対象項目名】００１４
【補正方法】変更
【補正の内容】
【００１４】  この腰用ベルトは、平板状の腰当部１の一側に伸縮性を高めた弾性部７を挟んで腰当部２が、また、他の側には弾性部７を挟んで面ファスナーのような止着手段を有する保持部８がそれぞれ巻回可能に形成され、この保持部８は、腹部に位置される腹当部３に重なり合って着脱可能に止着されている。